(57)【要約】      （修正有）【課題】車の排気ガス除去に役立てる。【解決手段】木枠内に、アブソリュートフィルターを３５〜４０ｍｍ巾で重ねてビス止めし、内部フィルター木枠には、厚み３ｍｍ程度のチャコールフィルターを３枚重ね、ビニール製ダンボール４本と端外周に取付け、更に換気扇を取付け、居住空間、公共建物、乗用車、バス、トラック、電車、航空機、船舶、地下鉄構内、地下街、デパート、ホームセンター、スーパーマーケット、住宅、集合住宅、ホテル、軍用車両、車の排気ガス直接除去に利用する。【選択図】図１
2004317110.tif 000002
【特許請求の範囲】
核シェルター，すべての居住空間，公共建物，乗用車バス，トラック，電車，航空機，船舶，地下鉄構内，地下街，デパート，ホームセンター，スーパーマーケット，住宅，集合住宅，ホテル，軍用車輌にも応用可能それから乗用車，バス，トラックなどの車の排気ガスの直接除去なども。
【発明の詳細な説明】
【図面の簡単な説明】
【図１】  アブソリュートフィルター型式１★−２５に２５８ｍｍ巾の木枠で３５〜４０ｍｍ巾で重ねてビス止めし内部フィルター木枠にはチャコールフィルター厚み３ｍｍ程度のもの３枚重ねで取り付ける。換気扇風量に耐えられるように、チャコールフィルターをビニール製ダンボール４×２０×２００４本と端外周を釘止めする。換気扇はＦＹ−０８ＰＴＲ２ＶＤ排気を弱での使用のみとする０．５ｍ３／ｍｉｎ。小型の車  軽トラック，軽ワンボックスカー，２０００ｃｃ以下の乗用車の室内換気用に。吸入側前面に外からの比較的大きなちりをキャッチするためにフィレドンＰＳ／３００エアーフィルター１枚を取り付けること。排気用換気扇はフィルター面より８０ｍｍ程離して取り付ける。
【図２】  アブソリュートフィルターを吸入側前面より見た図です。フィレドンＰＳ／３００は除いて書いた。
【図３】  空気排出用換気扇固定した図です。
【図４】  アブソリュートフィルター型式１★−２５と空気排出換気扇を二重にして汚染物質をより通過させないようにした側面図です。フィレドンＰＳ／３００エアーフィルターはアブソリュートフィルターごとに吸入側に取り付けること。東京など車の交通量の多い都会向き。
【図５】  アブソリュートフィルター型式１★−２５と空気排出換気扇を二重にした吸入側前面より見た図です。フィレドンＰＳ／３００は除いて書いた。
【図６】  アブソリュートフィルター型式１★−２５と空気排出換気扇を二重にした排出側より見た図です。
【図７】  アブソリュートフィルター型式１★−５０をダッシュファンＳＰ−３０と組み合わせた側面図です。吸入側フィルター前面にフィレドンＰＳ／３００エアーフィルター１枚取り付けること、内部フィルターにチャコールフィルター３ｍｍ厚×３枚取り付け、フィルター固定材ビニール製ダンボール４×２０×２００  ４枚で固定しチャコール外周も固定材にて釘止めすること。換気扇風量は０．８ｍ３／ｍｉｎのものを使うこと。軽ワンボックス車，普通車ワンボックス車，４０００ｃｃ以下の乗用車の室内換気に使用すること。核シェルター、家庭換気には広さ４．５帖〜６帖まで。
【図８】  アブソリュートフィルター型式１★−５０空気吸入側前面図です。フィレドンＰＳ／３００エアーフィルターは除いて書いた。
【図９】  アブソリュートフィルター型式１★−５０接続換気扇を排出側から見た図です。
【図１０】  アブソリュートフィルター型式１★−５０を換気扇も二重に接続した図の側面図です。アブソリュートフィルターの前面にはフィレドンＰＳ／３００エアーフィルターを取り付けること。チャコールフィルターもそれぞれ３ｍｍ厚３枚づつ取り付けること。アブソリュートフィルターを二重にして汚染物質をより通過させないようにしたので交通量の多い都会向き。４０００ｃｃ以下の車の室内換気に、核シェルター，家庭用換気広さは４．５帖〜６帖まで。
【図１１】  アブソリュートフィルター型式１★−５０を連結したものの吸入側前面の図です。フィレドンＰＳ／３００エアーフィルターは除いて書いた。
【図１２】  図１０の空気排出側より見た図です。
【図１３】  アブソリュートフィルター１★−１１０と空気取り入れ換気扇接続したものの側面図です。住宅取り付け用の見本となる。外部フィルター木枠には１ｍｍ厚鉛板張りとし，上部前面にはステンレス張りウェザーカバーも付けること。チャコールフィルターは４枚重ねで取り付けフィルター固定材でしっかり止めること。核シェルター，家庭用換気広さは１０帖〜１５帖まで。中型バス。
【図１４】  図１３のものを吸入側前面から見た図です。ウェザーカバーとフィレドンＰＳ／３００は除いて書いた。
【図１５】  図１３のものを空気排出側から見た図です。
【図１６】  アブソリュートフィルター１★−１１０と空気排出換気扇を共に接続した側面図です。単独のものより汚染物質をより通過させないようにしたもので都会向き。最初のアブソリュートフィルター木枠には１ｍｍ厚鉛板張りとし室外に出る場合には、ステンレスウェザーカバーも付けること。チャコールフィルターは４枚づつ重ねて取り付ける。フィルター固定材でしっかり止めること。核シェルター，家庭用換気広さは１０帖〜１５帖まで。中型バス。
【図１７】  図１６のものを空気吸入側前面より見た図です。ウェザーカバーとフィレドンＰＳ／３００エアーフィルターは除いて書いた。
【図１８】  図１６のものを空気排出側から見た図です。
【図１９】  アブソリュートフィルター１★−２００と空気排出換気扇を接続したものの側面図です。外部フィルター木枠には１ｍｍ厚鉛板張りとし屋外に出る場合は上部前面はステンレス張りウェザーカバーも付けること。チャコールフィルターは４枚重ねで取り付け（３ｍｍ厚）フィルター固定材（ビニール製ダンボール）でしっかり止めること。大型バスなどにも。核シェルター，家庭用換気広さは１５帖〜２０帖まで。
【図２０】  アブソリュートフィルター１★−２００と換気扇を二重にしたものを車の分岐排気管と合体させた側面図です。分岐管径３０ｍｍタテ６本としヨコも６本づつ合計３６本に分煙しフィルターに満遍なく排気ガスが行きわたるようにした。チャコールフィルター３ｍｍ厚４枚づつ取り付けフィルター固定材４本とフィルター外周を止めること。アブソリュートフィルター前面にはフィレドンＰＳ／３００エアーフィルターをそれぞれ取りつけること。１ｔ〜１０ｔ車排気ガス除去。
【図２１】  アブソリュートフィルター１★−２００と換気扇とそれを二重にしたものの吸入側の前面図でフィルター前面の図です。分岐排気管もフィレドンＰＳ／３００エアーフィルターも除いて書いた。
【図２２】  水冷式分岐排気管と車の排気管，それにアブソリュートフィルターを接続したものの側面図です。車の排気管より、入った排気ガスを分煙板にて３６本の分岐排気管に満遍なく行きわたるようにし７５０ｍｍの長さの水槽にて排気ガスの温度を下げてフィルターを高熱より保護する。水槽内の分岐排気管を途中もしっかりステンレス材にて固定すること。分岐排気管もステンレス材使用のこと。腐蝕を防ぐために。水槽上部に水注入口を設けて下部に水ぬき用ドレンコックも設けること。
【図２３】  図２２の水冷式分岐排気管のＡ−Ａ′間の断面図です。３６本の分岐排気管が固定材でしっかり止めてある。
【図２４】  アブソリュートフィルター１★−２００と換気扇とそれを二重にしたものの排出側の正面図です。換気扇ルーバーの図である。
【図２５】  水冷式排気管の水槽を円筒式とした場合のＡ−Ａ′間の断面図です。
【図２６】  アブソリュートフィルター１★−５０と換気扇を二重にしたものと水冷式分岐排気管と軽自動車ならびに小型トラックの排気管を合体した側面図です。軽自動車ならびに小型トラックの排気管から入った排気ガスを分煙板にて３６本分岐排気管に満遍なく行きわたらせて４５０ｍｍの水槽にて排気ガスの温度を下げてフィルターを高熱より保護する。水槽内の分岐排気管を途中もしっかりステンレス材にて固定すること。分岐排気管もステンレス材使用のこと。腐敗を防ぐために。水槽上部に水注入口を設けて下部に水ぬき用ドレンコックも設けること。軽自動車から１ｔ車までの排気ガス除去。
【図２７】  図２６のＡ−Ａ′間の断面図です。タテ，ヨコ６列づつの分岐排気管径１５〜２０ｍｍが固定材でしっかり止めてある。水槽直方体式の場合である。
【図２８】  アブソリュートフィルター排気ガス除去能力検査結果です。軽トラックガソリン車の一酸化炭素，炭化水素とにおいの検査。
【図２９】  アブソリュートフィルター排気ガス除去能力検査結果です。ジーゼル車の黒鉛透過度（％）を調べた。
【図１】
2004317110.tif 000003
【図２】
2004317110.tif 000004
【図３】
2004317110.tif 000005
【図４】
2004317110.tif 000006
【図５】
2004317110.tif 000007
【図６】
2004317110.tif 000008
【図７】
2004317110.tif 000009
【図８】
2004317110.tif 000010
【図９】
2004317110.tif 000011
【図１０】
2004317110.tif 000012
【図１１】
2004317110.tif 000013
【図１２】
2004317110.tif 000014
【図１３】
2004317110.tif 000015
【図１４】
2004317110.tif 000016
【図１５】
2004317110.tif 000017
【図１６】
2004317110.tif 000018
【図１７】
2004317110.tif 000019
【図１８】
2004317110.tif 000020
【図１９】
2004317110.tif 000021
【図２０】
2004317110.tif 000022
【図２１】
2004317110.tif 000023
【図２２】
2004317110.tif 000024
【図２３】
2004317110.tif 000025
【図２４】
2004317110.tif 000026
【図２５】
2004317110.tif 000027
【図２６】
2004317110.tif 000028
【図２７】
2004317110.tif 000029
【図２８】
2004317110.tif 000030
【図２９】
2004317110.tif 000031